(57)【要約】【課題】取手の存在を明確にして着脱構造であることを容易に判断することができる空気清浄ユニットを提供することを目的とする。【解決手段】保持ユニット３に着脱自在に設けられる集塵ユニット４を、異なる色彩で開閉可能に設けられる収納部５および押え部６により形成し、収納部５および押え部６により狭持される集塵フィルター９を設け、押え部６に一体的に設けられる取手部１０を収納部５と重合しない位置に設けることにより、取手部１０の存在が明確となり着脱構造であることを容易に判断することができる空気清浄ユニットが得られる。【選択図】図１
2006102687.tif 000002
【特許請求の範囲】
【請求項１】
横長の保持ユニットに着脱自在に設けられる集塵ユニットを形成する異なる色彩で開閉可能に設けられる収納部および押え部と、この収納部および押え部に狭持される集塵フィルターと、前記押え部に一体的に設けられる取手部とを備え、前記取手部を前記収納部と重合しない位置に設けた空気清浄ユニット。
【請求項２】
保持ユニットの側部に設けられる電装品収納部と、この電装品収納部に収納される超音波ユニットとを備え、前記超音波ユニットからの超音波を前記保持ユニットに設けられる集塵ユニットの集塵フィルター上流側に供給する構成とした請求項１記載の空気清浄ユニット。
【請求項３】
押え部に設けた取手部に近接した収納部に指挿入用の凹部を設け、押え部より収納部を開放するときに使用する指先を逃がすための逃がし孔を前記取手部に設けた請求項１記載の空気清浄ユニット。
【請求項４】
集塵ユニットに設けられる集塵フィルターを、抗アレルゲン剤を有するハニカム形状とした請求項１記載の空気清浄ユニット。
【請求項５】
収納部と押え部を開閉可能に連結するために、中央部で連結する中央連結部と両端部で連結する端部連結部を設け、前記中央連結部は、前記収納部と押え部の左右の動きを規制できるように設け、収納部と押え部が閉鎖したときには閉鎖状態を保持する保持手段を設け構成した請求項１または３記載の空気清浄ユニット。
【請求項６】
押え部に集塵フィルターを傾斜して保持する傾斜保持リブを設けた請求項４記載の空気清浄ユニット。
【請求項７】
収納部に設けられる水平方向のリブの少なくとも１つを奥行き寸法を長くした支持リブに形成し、前記支持リブと、押え部に設けた傾斜保持リブにより集塵フィルターを狭持する構成とした請求項４記載の空気清浄ユニット。
【請求項８】
保持ユニットの両端に、集塵ユニットを収納するように設けられる受部と、この受部の内面側に係合する受面を設けた集塵ユニットと、この集塵ユニットが前記保持ユニットに装着されたときに、前記受面を前記受部に圧接する圧接手段と、前記集塵ユニットが前記保持ユニットに係止される係止手段を設けた請求項１記載の空気清浄ユニット。
【請求項９】
保持ユニットの側方に設けられた電装品収納部に設けられる蓋と、この蓋に設けられる表示孔と、この表示孔に嵌合するように前記電装品収納部に収納される表示体とを備え、前記電装品収納部と蓋により前記表示体を保持した請求項１または２記載の空気清浄ユニット。
【発明の詳細な説明】
【技術分野】
【０００１】
本発明は、空気調和機等の空気流路に設け、空気調和される空気中に含まれる粉塵を除去し、空気を清浄にする空気清浄ユニットに関する。
【背景技術】
【０００２】
従来、この種の空気清浄ユニットの一例として取手を設けた電気集塵ユニットが知られている（例えば、特許文献１参照）。
【０００３】
以下、その電気集塵ユニットについて図１５を参照しながら説明する。
【０００４】
図に示すように、フィルター枠１０１の吸込口１０２側に針状の放電電極１０３を設け、放電電極１０３と対向し通気可能なアース電極１０４と、フィルター１０５を設けたフィルター装置１０６を結合手段１０７を介して開閉自在に結合し、フィルター枠１０１の下方部にフィルター枠１０１と一体的に同色の取手１０８を設け、構成している。
【０００５】
また、従来、この種の空気清浄ユニットの一例として音波発生手段を設けた電気集塵装置が知られている（例えば、特許文献２参照）。
【０００６】
以下、その電気集塵装置について図１６を参照しながら説明する。
【０００７】
図に示すように、放電電極１１０を収納した集塵ユニット箱体１１１の側面部１１２に音波発生手段１１３を設け、集塵フィルター１１４は集塵ユニット１１５の送風方向の最下流部側に設け、対向電極１１６は接地して構成している。
【特許文献１】特開２００３−１０７３１号公報（［００１４］〜［００２０］図１、図３、図４）
【特許文献１】特開２００３−１０３１９６号公報（［００１４］〜［００１６］図２）
【発明の開示】
【発明が解決しようとする課題】
【０００８】
このような従来の電気集塵ユニットでは、取手１０８はフィルター枠１０１と一体で同色に設けられているため、取手１０８の有無の目視が困難で取手１０８による着脱構造であるという判断が容易にできないという課題があり、取手の存在を明確にして着脱構造であるという判断が容易に出来るようにすることが要求されている。
【０００９】
また、従来の他の電気集塵装置は、コロナ放電を用いるもので、コロナ放電では、放電電極１１０から対向電極１１６に向けて放電が行なわれるが、このときコロナ放電領域に音波を照射することにより凝集作用を促進して集塵を行なうもので、コロナ放電を行なうための複雑で高価な構造が必要であるという課題があり、コロナ放電を用いないコストが安価で構造の簡単な空気清浄ユニットが要求されている。
【００１０】
本発明は、このような従来の課題を解決するもので、取手の存在を明確にして着脱構造であることを容易に判断することができ、また、コロナ放電を利用しなくても集塵機能を発揮することのできる簡易な空気清浄ユニットを提供することを目的としている。
【課題を解決するための手段】
【００１１】
本発明の空気清浄ユニットは上記目的を達成するために、横長の保持ユニットに着脱自在に設けられる集塵ユニットを形成する異なる色彩で開閉可能に設けられる収納部および押え部と、この収納部および押え部に狭持される集塵フィルターと、前記押え部に一体的に設けられる取手部とを備え、前記取手部を前記収納部と重合しない位置に設けたものである。
【００１２】
この手段により、取手部の存在が明確となり着脱構造であることを容易に判断でき、また、収納部と押え部が別部品であり開閉可能であることが目視可能となる空気清浄ユニットが得られる。
【００１３】
また、他の手段は、保持ユニットの側部に設けられる電装品収納部と、この電装品収納部に収納される超音波ユニットとを備え、前記超音波ユニットからの超音波を前記保持ユニットに設けられる集塵ユニットの集塵フィルターの上流側に供給する構成とする。
【００１４】
この手段により、粉塵を凝集させて集塵性能を確保することができる簡易な空気清浄ユニットが得られる。
【００１５】
また、他の手段は、押え部に設けた取手部に近接した収納部に指挿入用の凹部を設け、押え部より収納部を開放するときに使用する指先を逃がすための逃がし孔を前記取手部に設けたものである。
【００１６】
この手段により、収納部と押え部の開放を容易にすることができる空気清浄ユニットが得られる。
【００１７】
また、他の手段は、集塵ユニットに設けられる集塵フィルターを、抗アレルゲン性を有するハニカム形状としたものである。
【００１８】
この手段により、集塵性能に加え抗アレルゲン性の機能を発揮することができる。
【００１９】
また、他の手段は、収納部と押え部を開閉可能に連結するために、中央部で連結する中央連結部と両端部を連結する端部連結部を設け、前記中央連結部は、前記収納部と押え部の左右の動きを規制できるように設け、収納部と押え部が閉鎖したときには閉鎖状態を保持する保持手段を設けたものである。
【００２０】
この手段により、押え部の左右のがたをなくし、係脱時のこじれを防ぐことができるとともに開閉操作が容易にでき、また、使用中に収納部が開放することを防止することができる。
【００２１】
また、他の手段は、押え部に集塵フィルターを傾斜して保持する傾斜リブを設けたものである。
【００２２】
この手段により、集塵性能を高めることができる空気清浄ユニットが得られる。
【００２３】
また、他の手段は、収納部に設けられる水平方向のリブの少なくとも１つを奥行き寸法を長くした支持リブに形成し、前記支持リブと押え部に設けた傾斜保持リブにより集塵フィルターを狭持する構成としたものである。
【００２４】
この手段により、整流効果をもたらすとともに、集塵フィルターの振動を防止し、粉塵の再飛散を防止することができる。
【００２５】
また、他の手段は、保持ユニットの両端に集塵ユニットを収納するように設けられる受部と、この受部の内面側に係合する受面を設けた集塵ユニットと、この集塵ユニットが前記保持ユニットに装着されたときに、前記受面を前記受部に圧接する圧接手段と、前記集塵ユニットが前記保持ユニットに係止される係止手段を設けたものである。
【００２６】
この手段により、集塵ユニットの落下防止構造を、部品点数を少なくしてコスト低減を図ることができる。
【００２７】
また、他の手段は、保持ユニットの側方に設けられた電装品収納部に設けられる蓋と、この蓋に設けられる表示孔と、この表示孔に嵌合するように前記電装品収納部に収納される表示体とを備え、前記電装品収納部と蓋により前記表示体を保持したものである。
【００２８】
この手段により、立体的な表示が可能となるとともに、表示部分の剥がれの問題を回避することができる。
【発明の効果】
【００２９】
本発明によれば、着脱構造であることを容易に判断でき、また収納部と押え部が別部品で開閉可能であることを目視可能となる効果のある空気清浄ユニットを提供できる。
【００３０】
また、粉塵を凝集させて集塵性能を向上することができる効果のある空気清浄ユニットを提供できる。
【００３１】
また、収納部と押え部の開放を容易にすることができる。
【００３２】
また、集塵性能に加え、抗アレルゲン性の機能を発揮できる。
【００３３】
また、押え部の左右のがたをなくし、係脱時のこじれを防止でき、開閉操作を容易にできる。
【００３４】
また、整流効果を高めることができ、また、粉塵の再飛散を防止できる。
【００３５】
また、集塵ユニットの落下防止構造を安価にできる。
【発明を実施するための最良の形態】
【００３６】
本発明の請求項１記載の発明は、横長の保持ユニットに着脱自在に設けられる集塵ユニットを形成する異なる色彩で開閉可能に設けられる収納部および押え部と、この収納部および押え部に狭持される集塵フィルターと、前記押え部に一体的に設けられる取手部とを備え、前記取手部を前記収納部と重合しない位置に設けたものであり、取手部の色が正面側から目視できる収納部の色と異なることで、取手部の存在が明らかとなり、集塵ユニットは取手部により着脱できる着脱構造であることを容易に判断でき、また、収納部と押え部の色が異なることで視覚的に別部品であることが容易に判断できることとなり、収納部と押え部が開閉可能であることを目視することができるという作用を有する。
【００３７】
また、請求項２記載の発明は、保持ユニットの側部に設けられる電装品収納部と、この電装品収納部に収納される超音波ユニットとを備え、前記超音波ユニットからの超音波を前記保持ユニットに設けられる集塵ユニットの集塵フィルターの上流側に供給する構成としたものであり、保持ユニットの側方から超音波を集塵フィルターの上流側に供給することで、集塵フィルターに空気中に含まれる粉塵が到達するまでに粉塵が凝集され、集塵フィルターのみの場合に比べて集塵性能が向上するという作用を有する。
【００３８】
また、請求項３記載の発明は、押え部に設けた取手部に近接した収納部に指挿入用の凹部を設け、押え部より収納部を開放するときに使用する指先を逃がすための逃がし孔を前記取手部に設けたものであり、収納部に指が挿入可能な凹部を形成することで、指を使用して収納部と押え部の開放を容易にすることができ、また、押え部に設けた逃がし孔は指の挿入時の逃がし孔となり、収納部に設けた凹部に確実に指を引っ掛けて収納部を開放することができるという作用を有する。
【００３９】
また、請求項４記載の発明は、集塵ユニットに設けられる集塵フィルターを、抗アレルゲン性を有するハニカム形状としたものであり、集塵フィルターに抗アレルゲン剤が付加されることで集塵性能に加え、抗アレルゲン性の機能を発揮することができる複数の性能を有する集塵フィルターを提供できるという作用を有する。
【００４０】
また、請求項５記載の発明は、収納部と押え部を開閉可能に連結するために、中央部で連結する中央連結部と両端部で連結する端部連結部を設け、前記中央連結部は、前記収納部と押え部の左右の動きを規制できるように設け、収納部と押え部が閉鎖したときには、閉鎖状態を保持する保持手段を設けたものであり、収納部と押え部の左右の動きを規制できるように隙間を小さくすることで、押え部の左右のがたがなくなり、係脱時のこじれを防ぐことができ、また、収納部と押え部を中央部と両端部の３点で開閉自在に連結することにより、開閉操作が容易となるとともに、開放後も押え部の落下を防止し、簡単に離脱しないこととなり、また、両側部に収納部と押え部を閉鎖状態で保持する保持手段を設けていることにより、正面側からは見えにくくなりデザイン的な効果をもたらすという作用を有する。
【００４１】
また、請求項６記載の発明は、押え部に集塵フィルターを傾斜して保持する傾斜保持リブを設けたものであり、集塵フィルターが傾斜して保持されることにより集塵フィルターのハニカム形状部分も、略水平方向に流れる空気流に対し傾くこととなり、空気中に含まれる粉塵の衝突面積が増加し、集塵性能が高められるという作用を有する。  
【００４２】
また、請求項７記載の発明は、収納部に設けられる水平方向のリブの少なくとも１つを奥行き寸法を長くした支持リブに形成し、前記支持リブと、押え部に設けた傾斜保持リブにより集塵フィルターを狭持する構成としたものであり、集塵フィルターの交換時に、集塵フィルターに押し付けられたときの変形を防ぐとともに、整流効果をもたらすことができ、また、押え部に設けた傾斜保持リブと収納部に設けた支持リブにより集塵フィルター
を狭持することで、風による集塵フィルターの振動をおさえて粉塵が集塵フィルターから再飛散するのを防止することができるという作用を有する。
【００４３】
また、請求項８記載の発明は、保持ユニットの両端に集塵ユニットを収納するように設けられる受部と、この受部の内面側に係合する受面を設けた集塵ユニットと、この集塵ユニットが前記保持ユニットに装着されたときに、前記受面を前記受部に圧接する圧接手段と、前記集塵ユニットが前記保持ユニットに係止される係止手段を設けたものであり、従来、保持ユニットの左右にボールスプリングを設けて集塵ユニットの落下を防止していたものと比較して、保持ユニットの受部に集塵ユニットの受面を圧接手段により圧接して保持し、係止手段により係止して集塵ユニットの落下を防止しているので、部品点数が少なくコスト削減を図ることができるとともに、超音波ユニットを設けた側の圧接手段の圧接力を小さくすることにより、保持ユニットから集塵ユニットを引き出し外すときに超音波ユニットを設けた側で先に圧接状態が外れ、次に反対側の壁面に沿って外れることで着脱時のこじれを解消できるという作用を有する。
【００４４】
また、請求項９記載の発明は、保持ユニットの側方に設けられた電装品収納部に設けられる蓋と、この蓋に設けられる表示孔と、この表示孔に嵌合するように前記電装品収納部に収納される表示体とを備え、前記電装品収納部と蓋により前記表示体を保持したものであり、印刷やシール貼り付けの困難な表面にも取り付けでき、立体的な表示が可能となる。また、印刷やシールを貼り付けた場合のように剥がれる問題を回避できるという作用を有する。
【００４５】
以下、本発明の実施の形態について図面を参照しながら説明する。
【００４６】
（実施の形態１）
図１〜図６に示すように、保持ユニット３は横長で空気調和機（図示せず）の空気に配設されるように空気調和機に装着される装着部１を有し、一端に電装品収納部２を設ける。保持ユニット３に着脱自在に設けられる集塵ユニット４を、異なる色彩で開閉可能に連結されるＰＰで形成した収納部５およびＰＳで形成した押え部６を設け、収納部５および押え部６により、ハニカム形状で通気孔７の内面には抗アレルゲン剤８を付着したエレクトレット化された集塵フィルター９を狭持するように設ける。押え部６には収納部５が重合しない位置に取手部１０を一体的に設け、取手部１０の下面に前後に突出する突出リブ１１を設け、取手部１０に近接した収納部５に指挿入用の凹部１２を設け、押え部６より収納部５を開放するときに使用する指先を逃がすための逃がし孔１３を取手部１０に設ける。
【００４７】
また、超音波ユニット１４を保持ユニット３に設けた電装品収納部２に設け、超音波ユニット１４からの超音波を保持ユニット３に設けられる集塵ユニット４の集塵フィルターの上流側に供給するように設け構成する。
【００４８】
上記構成において、空気調和機に装着された保持ユニット３に集塵ユニット４を取り付けた状態で運転すると、保持ユニット３に設けた超音波ユニット１４から集塵フィルター９の上流側に超音波が供給され、空気調和機に給気される空気中に含まれる粉塵が、集塵フィルター９に到達するまでに凝集されて集塵フィルター９に集塵され集塵機能が高められるとともに、集塵フィルター９に設けた抗アレルゲン剤８により抗アレルゲン機能が発揮されることとなる。
【００４９】
次に、集塵フィルター９の清掃または交換を行なうときには、保持ユニット３に取り付けられた集塵ユニット４は表面側に表れている収納部５と取手部１０の色が異なることにより、取手部１０の存在が容易に判明し、取手部１０で集塵ユニット４を引き出すことができ、引き出された集塵ユニット４は、収納部５と押え部６の色彩が異なることにより、分離できることが判別できる。
【００５０】
そして、収納部５を押え部６を開放するときには、図５に示すように、一方の指先を収納部５に設けた指挿入用の凹部１２より挿入し、押え部６の取手部１０を他方の指で保持しながら収納部５を開放する。このとき、押え部６側に、収納部５に設けた指挿入用の凹部１２に挿入した指先の逃がし孔１３が設けられていることにより指の挿入が容易となり収納部５を開放して集塵フィルター９の掃除または交換を行なうことができる。
【００５１】
このように本発明の実施の形態１では、横長の保持ユニット３に着脱自在に設けられる集塵ユニット４を、異なる色彩で開閉可能な収納部５および押え部６により形成し、押え部６に一体的に設けられる取手部１０を収納部５と重合しない位置に設けていることにより取手部１０の色が正面側から目視できる収納部５の色彩と異なることで、取手部１０の存在が明らかとなり、集塵ユニット４は取手部１０により着脱できる着脱構造であることを容易に判断できる。さらに収納部５と押え部６の色彩が異なることで、視覚的に別部品であることが容易に判断できることとなり、収納部５と押え部６が開閉可能であることが目視できる。
【００５２】
また、押え部６をＰＳで形成することにより、変形し易い押え部６の補強が行なわれており、収納部５と押え部６の色彩を変えることについては、高圧電極を備えた電気集塵ユニットにも適用できるものである。
【００５３】
また、超音波ユニット１４からの超音波を集塵フィルター９の上流側に供給することにより、集塵フィルター９に空気中に含まれる粉塵が到達するまでに粉塵が凝集されて集塵されることとなり集塵性能が向上されることとなる。
【００５４】
また、収納部５に指挿入用の凹部１２を設け、押え部６より収納部５を開放するときに使用する指先を逃がすための逃がし孔１３を取手部１０に設けているので、収納部５の指挿入用の凹部１２に確実に指を掛けることができ、収納部５の開放を容易にすることができ、また、取手部１０の下面に突出リブ１１を設けていることにより、取手部１０がつかみ易くなり、操作性が向上することとなる。
【００５５】
また、集塵フィルター９を抗アレルゲン性を有するハニカム形状としたことにより集塵性能に加え、抗アレルゲン性の機能を発揮することができ、一つの集塵フィルター９で複数の機能と発揮できることとなる。
【００５６】
なお、ハニカム状の集塵フィルター９には、抗アレルゲン性を有する成分以外にも、抗ウィルス性を有する成分、抗菌性を有する成分、防かび性を有する成分、吸湿性を有する成分を付加したもの、あるいは、２つ以上の成分を混合したものを付加して構成した機能性フィルターを使用する場合にも適用できる。
【００５７】
また、集塵フィルター９はハニカム形状以外にも。網状フィルター、不織布、プリーツ形状織物などの集塵機能を有するフィルター構造にも適用することができるものである。
【００５８】
（実施の形態２）
図７〜図９に示すように、収納部５Ａと押え部６Ａを開閉可能に設けるために、収納部５Ａと連結する側の押え部６Ａの中央部分の縁部１５近傍に中央連結孔１６を設け、押え部６Ａの両端部には横方向の外方に向け突出する端部側突部１７を設ける。収納部５Ａの押え部６Ａと連結する側には押え部６Ａに設けた中央連結孔１６に左右の動きが規制されるように隙間を小さい状態で、押え部６Ａの中央連結孔１６の縁部に係合する断面が略Ｕ字状の中央係止片１８を設ける。収納部５Ａの両端部には、押え部６Ａに設けた端部側突部１７が係合する係合孔１９を設け、中央連結孔１６と中央係止片１８により中央連結部２０を形成し、端部側突部１７と係合孔１９により端部連結部２１を形成する。収納部５Ａと押え部６Ａが閉鎖状態で保持できるように、押え部６Ａの取手部１０側の両側部にダボ状の保持用突起２２を設け、収納部５Ａの両側部に保持用突起２２が係合する保持用孔２３を設け、保持用突起２２と保持用孔２３により保持手段２４を形成して構成する。
【００５９】
上記構成において、まず収納部５Ａと押え部６Ａを開閉可能に連結するには、押え部６Ａと収納部５Ａを中央部分において中央連結部２０で連結し、両端部においては、端部連結部２１により連結する。
【００６０】
次に、収納部５Ａと押え部６Ａが閉鎖状態になったときには、側方に設けた保持手段２４により保持されることとなる。
【００６１】
このように本発明の実施の形態２によれば、収納部５Ａと押え部６Ａは中央部分においては中央連結部２０で連結し、両端部においては、端部連結部２１により連結し、開閉可能に設けられていることにより、収納部５Ａと押え部６Ａは中央連結部２０により左右にがたつく動きが規制され、係脱時のこじれを防ぐことができる。また、収納部５Ａと押え部６Ａは中央連結部２０と、両端の端部連結部２１の３点において連結され、開閉操作をスムーズに行なうことができるとともに、開放後も収納部５Ａと押え部６Ａは連結された状態で簡単に分離されることなく取扱い性が良くなる。
【００６２】
また、収納部５Ａと押え部６Ａが閉鎖したときに閉鎖状態を保持する保持手段２４を設けていることにより、使用中に収納部５Ａが開放するのを防止でき安全性が高められる。
【００６３】
また、保持手段２４は収納部５Ａの両端の側部側において保持する構造であるため、収納部５Ａを正面側から見たときには保持手段２４が表面側に露出しないので、デザイン的効果を高めることができることとなる。
【００６４】
なお、デザイン面を考慮しないのであれば、両端部の正面側に保持手段２４を設けても保持機能をもたらすことはいうまでもない。
【００６５】
（実施の形態３）
図１０および図１１に示すように、押え部６Ｂに集塵フィルター９Ａを傾斜して保持する傾斜保持リブ２５を設け、収納部５Ｂに設けられる水平方向のリブ２６の少なくとも１つを奥行き寸法を長くした支持リブ２７に形成し、支持リブ２７と、押え部６Ｂに設けられた傾斜保持リブ２５により集塵フィルター９Ａを狭持する構成とする。
【００６６】
上記構成において、集塵フィルター９Ａが押え部６Ｂに設けた傾斜保持リブ２５により傾斜して保持されることにより、集塵フィルター９Ａのハニカム形状の通気孔７も略水平方向に流れる空気流に対し傾くこととなり、空気中に含まれる粉塵の衝突面積が増加し集塵性能が高められることとなる。
【００６７】
また、収納部５Ｂに設けられる水平方向のリブ２６の少なくとも１つを、奥行き寸法を長くした支持リブ２７に形成し、支持リブ２７と、押え部６Ｂに設けた傾斜保持リブ２５により集塵フィルター９Ａを狭持することにより、集塵フィルター９Ａの交換時に集塵フィルター９Ａに押し付けられたときの変形を防ぐとともに、支持リブ２７により整流効果をもたらすことができる。また、押え部６Ｂに設けた傾斜保持リブ２５と収納部５Ｂに設けた支持リブ２７により集塵フィルター９Ａを狭持することで、風による集塵フィルター９Ａの振動をおさえて粉塵が集塵フィルター９Ａから再飛散するのを防止することができることとなる。
【００６８】
（実施の形態４）
図１２および図１３に示すように、保持ユニット３Ａの両端付近に集塵ユニット４Ａを収納する受部２８を設け、集塵ユニット４Ａに受部２８の内面に係合する受面２９を設ける。圧接手段として、集塵ユニット４Ａが保持ユニット３Ａの奥側に移動するに従い保持ユニット３Ａの受部２８側に集塵ユニット４Ａの受面２９を圧接する傾斜面を有しており、集塵ユニット４Ａが保持ユニット３Ａに装着されたときに、保持ユニット３Ａの受部２８に集塵ユニット４Ａの受面２９が圧接状態となるよう設ける。また集塵ユニット４Ａを保持ユニット３Ａに装着した時点で保持ユニット３Ａに係合し、係止される爪状の係止手段３１を集塵ユニット４Ａに設け構成する。
【００６９】
上記構成において、保持ユニット３Ａに集塵ユニット４Ａを装着するときには、集塵ユニット４Ａに設けた受面２９を保持ユニット３Ａに設けた受部２８の内面にあてがい、上方に移動することにより、集塵ユニット４Ａが保持ユニット３Ａの奥側に移動する。このとき、保持ユニット３Ａに設けた傾斜面よりなる圧接手段３０が作用し、集塵ユニット４Ａの受面２９は保持ユニット３Ａの受部２８に圧接状態で収納される。
【００７０】
このとき圧接手段３０により受部２８に受面２９が圧接され集塵ユニット４Ａが保持ユニット３Ａに保持されるとともに、係止手段３１により集塵ユニット４Ａが保持ユニット３Ａに係止されることとなる。
【００７１】
そして、超音波ユニット（図示せず）の設けた側の圧接手段３０の圧接力を小さくすることにより、保持ユニット３Ａから集塵ユニット４Ａを引き出すとともに、超音波ユニットを設けた側から圧接手段３０の圧接力が弱まり、次に反対側の壁面に沿って外れることで着脱時のこじれを解消することができる。また、圧接手段３０と係止手段３１により集塵ユニット４Ａが保持されているので集塵ユニット４Ａが保持ユニット３Ａから外れ落下するのが確実に防止することができ、また、係止手段にコイルスプリングを設ける場合と比較してコストを安価にすることができる。
【００７２】
（実施の形態５）
図１４に示すように、保持ユニット３Ｂに側方に設けられる電装品収納部２Ａを覆うように設けられる蓋３２に表示孔３３を設け、表示孔３３に嵌合するように、電装品収納部２Ａに収納される表示体３４を設け、電装品収納部２Ａと蓋３２により表示体３４を狭持する構成とする。
【００７３】
上記構成において、表示体３４を透明材料で形成し、表示体３４を照射するＬＥＤを電装品収納部２Ａに設けることにより、表示体３４が光る作用をもたらすようにすることもでき、スイッチのオン・オフを目視することができ、また、表示体３４の色を蓋３２の色と変えることにより、表示体３４の目視を容易にすることができる。
【００７４】
このように本発明の実施の形態５によれば、電装品収納部２Ａの蓋３２に表示孔３３を設け、電装品収納部２Ａの凸部に嵌合して収納される表示体３４を表示孔３３に嵌合させ、電装品収納部２Ａと蓋３２により表示体３４を保持するので、印刷やシール貼り付けの困難な表面にも取付けができ、立体的な表示が可能となるとともに、表示を印刷やシールで貼り付けるのに対し剥がれの問題を回避することができる。また、表示体３４の目視が容易にできることにより、視認性も高めることができる。なお、表示体３４は蓋３２に設けた表示孔３３に嵌合するとともに、電装品収納部２Ａと蓋３２により保持することで表示体３４のがたつきが防止されることとなる。
【産業上の利用可能性】
【００７５】
換気扇などの他の空調機器に設けられるフィルター枠に取手部を設けて着脱自在に形成し、取手部の色をフィルター枠の色と変えることにより、取手部の存在が容易に判明し、フィルターの掃除や取扱いが容易にできる用途にも適用できる。
【図面の簡単な説明】
【００７６】
【図１】本発明の実施の形態１の空気清浄ユニットの断面図
【図２】同空気清浄ユニットの一部破断した正面図
【図３】同空気清浄ユニットの一部破断した集塵ユニットの正面図
【図４】同空気清浄ユニットの一部破断した集塵ユニットの開放時の正面図
【図５】同空気清浄ユニットの集塵ユニットの開放時の状態を示す断面図
【図６】同空気清浄ユニットの集塵フィルターの断面図
【図７】本発明の実施の形態２の集塵ユニットの開放状態を示す正面図
【図８】同集塵ユニットの保持手段を示す側面図
【図９】同集塵ユニットの収納部と押え部の取付状態を示す拡大図
【図１０】本発明の実施の形態３の集塵ユニットの断面図
【図１１】同集塵ユニットの一部破断した正面図
【図１２】本発明の実施の形態４の空気清浄ユニットの断面図
【図１３】同空気清浄ユニットの集塵ユニットの取付時の状態を示す斜視図
【図１４】本発明の実施の形態５の保持ユニットの分解斜視図
【図１５】従来の電気集塵ユニットの断面図
【図１６】従来の他の電気集塵装置の構成を示す分解斜視図
【符号の説明】
【００７７】
２    電装品収納部
２Ａ  電装品収納部
３    保持ユニット
３Ａ  保持ユニット
３Ｂ  保持ユニット
４    集塵ユニット
４Ａ  集塵ユニット
５    収納部
５Ａ  収納部
５Ｂ  収納部
６    押え部
８    抗アレルゲン剤
９    集塵フィルター
９Ａ  集塵フィルター
１０  取手部
１２  指挿入用の凹部
１３  逃がし孔
１４  超音波ユニット
２０  中央連結部
２１  端部連結部
２４  保持手段
２５  傾斜保持リブ
２６  水平方向のリブ
２７  支持リブ
２８  受部
２９  受面
３０  圧接手段
３１  係止手段
３２  蓋
３３  表示孔
３４  表示体
【図１】
2006102687.tif 000003
【図２】
2006102687.tif 000004
【図３】
2006102687.tif 000005
【図４】
2006102687.tif 000006
【図５】
2006102687.tif 000007
【図６】
2006102687.tif 000008
【図７】
2006102687.tif 000009
【図８】
2006102687.tif 000010
【図９】
2006102687.tif 000011
【図１０】
2006102687.tif 000012
【図１１】
2006102687.tif 000013
【図１２】
2006102687.tif 000014
【図１３】
2006102687.tif 000015
【図１４】
2006102687.tif 000016
【図１５】
2006102687.tif 000017
【図１６】
2006102687.tif 000018